(57)【特許請求の範囲】
【請求項１】
内箱と外箱とよりなり、内箱と外箱との間に断熱材を充填して、貯蔵室空間を形成した冷蔵庫のキャビネットにおいて、
貯蔵室空間を上下に区画する中間仕切り壁と、
中間仕切り壁によって仕切られた下方の貯蔵空間をさらに上下に仕切り、かつ防露パイプが内蔵され、貯蔵室の前面開口に架設した横架設部材と、
前記横架設部材より突出した突出防露パイプと、
内箱と外箱の間に断熱材を充填して発泡させた後に、キャビネット背面前方に取付けられたエバカバーと、
エバカバーを取付けた後に、横架設部材の略半分の部分と、エバカバーとの間に配され、前記エバカバーに横方向に設けられた溝と嵌合して支持される断熱性の底板と、
底板を取付けた後に、底板の貯蔵室中央側の側部と、中間仕切り壁との間に配され、前記エバカバーに縦方向に設けられた溝と係合する断熱性の縦仕切り板と、
内箱と外箱の間に断熱材を充填して発泡させた後に、横架設部材と中間仕切り壁との間であって縦仕切り板の前方に配し、突出防露パイプの後方に取付けた縦仕切りカバー部材とを備え、
中間仕切り壁と横架設部材との間の一方の空間に、貯蔵室の背面、中間仕切り壁、貯蔵室の一側面、縦仕切り板、底板とより囲まれた断熱性の第１区画室を形成し、他方の空間には、貯蔵室の背面、中間仕切り壁、貯蔵室の他側面、縦仕切り板とより囲まれた第２区画室を形成した
ことを特徴とする冷蔵庫のキャビネット。
【請求項２】
縦仕切り板は、第２区画室側から取付けたことを特徴とする請求項１に記載の冷蔵庫のキャビネット。
【請求項３】
第２区画室の扉スイッチを収納するスイッチ収納部を縦仕切り板の前端上部から突出させ、
この突出したスイッチ収納部の中央側前部に凹部を設け、
縦仕切りカバー部材の前面カバーの端部を凹部に係合させたことを特徴とする請求項２記載の冷蔵庫のキャビネット。
【請求項４】
内箱と外箱とよりなり、内箱と外箱との間に断熱材を充填して、貯蔵室空間を形成し、また、貯蔵室の内部を上下に仕切る中間仕切り壁を内箱内に設け、内箱と外箱との間に断熱材を充填する冷蔵庫のキャビネットの製造方法において、
中間仕切り壁によって仕切られた下方の貯蔵室空間をさらに上下に仕切り、かつ防露パイプが内蔵された横架設部材を貯蔵室の前面開口に架設する第１工程と、
前記横架設部材より突出防露パイプを突出させる第２工程と、
内箱と外箱とを治具で固定し、内箱と外箱の間に断熱材を充填して発泡させる第３工程と、
内箱と外箱の間に断熱材を充填して発泡させた後に、キャビネット背面前方にエバカバーを取付ける第４工程と、
エバカバーを取付けた後に、前記エバカバーに横方向に設けられた溝と嵌合して横架設部材の略半分の部分とエバカバーとの間に断熱性を配する第５工程と、
内箱と外箱の間に断熱材を充填して発泡させた後に、横架設部材と中間仕切り壁との間であって縦仕切り板の前方に配し、突出防露パイプの後方に縦仕切りカバー部材を取付ける第６工程と、
エバカバーを取付けた後に、前記エバカバーに縦方向に設けられた溝と係合して、底板の貯蔵室中央側の側部と中間仕切り壁との間に断熱性の縦仕切り板を配する第７工程とよりなり、
これら工程により、中間仕切り壁と横架設部材との間の一方の空間には、貯蔵室の背面、中間仕切り壁、貯蔵室の一側面、縦仕切り板、底板とより囲まれた断熱性の第１区画室を形成し、他方の空間には、貯蔵室の背面、中間仕切り壁、貯蔵室の他側面、縦仕切り板とより囲まれた第２区画室を形成したことを特徴とする冷蔵庫のキャビネットの製造方法。
【請求項５】
第５工程において、底板の側部を貯蔵室の一側面に接触させることにより、底板の位置決めを行い、
第７工程において、縦仕切り板を第２区画室側から配することにより、縦仕切り板を固定することを特徴とする請求項４記載の冷蔵庫のキャビネットの製造方法。
【請求項６】
横架設部材内部に防露パイプを配し、
防露パイプを横架設部材より上方に突出させ、
突出した防露パイプと中間仕切り壁との間に隙間を形成し、
また、第３工程において用いられる治具であって、中間仕切り壁と横架設部材との間の空間に挿入する治具は、
第１区画室に挿入される第１治具部と、
第２区画室に挿入される第２治具部と、
第１治具部と第２治具部とを連結し、かつ、前記隙間の位置に挿入される連結治具部とよりなることを特徴とする請求項４記載の冷蔵庫のキャビネットの製造方法。
【発明の詳細な説明】
【０００１】
【発明の属する技術分野】
本発明は、冷蔵庫のキャビネット及びその製造方法に関するものである。
【０００２】
【従来の技術】
最近の冷蔵庫においては、図１３に示すように、キャビネット１２の上部から冷蔵室１４、野菜室１６、製氷室１８、冷凍室２０が配され、また、製氷室１８の右側には庫内温度をユーザが自由に設定することができる切替室２２が設けられている。
【０００３】
上記のような構造の冷蔵庫において、製氷室１８と切替室２２を組み立てる場合には、キャビネット１２とは別に製氷室１８及び切替室２２の側面や底板を組み立てて、キャビネット１２内部に蒸発器やエバカバーなどを取り付けた後に、製氷室１８や切替室２２の側板や底板を一体にした部品を取り付けていた。
【０００４】
一方、製氷室１８や冷凍室の前面にも霜の付着を防止するための熱源を設ける必要があるが、上記したように切替室２２や製氷室１８は別に組み立てる必要があるため、一体にした部品の前面側に仕切りヒータを設ける必要があった。
【０００５】
そこで、本発明は上記問題点に鑑み、冷蔵庫のキャビネット内部に切替室などの断熱区画室を設ける場合に、断熱区画室の前面にある露付き防止のための熱源を防露パイプによって形成することができる冷蔵庫のキャビネット及びその製造方法を提供するものである。
【０００６】
【課題を解決するための手段】
本発明の請求項１の冷蔵庫のキャビネットは、内箱と外箱とよりなり、内箱と外箱との間に断熱材を充填して、貯蔵室空間を形成した冷蔵庫のキャビネットにおいて、貯蔵室空間を上下に区画する中間仕切り壁と、中間仕切り壁によって仕切られた下方の貯蔵空間をさらに上下に仕切り、かつ防露パイプが内蔵され、貯蔵室の前面開口に架設した横架設部材と、前記横架設部材より突出した突出防露パイプと、内箱と外箱の間に断熱材を充填して発泡させた後に、キャビネット背面前方に取付けられたエバカバーと、エバカバーを取付けた後に、横架設部材の略半分の部分と、エバカバーとの間に配され、前記エバカバーに横方向に設けられた溝と嵌合して支持される断熱性の底板と、底板を取付けた後に、底板の貯蔵室中央側の側部と、中間仕切り壁との間に配され、前記エバカバーに縦方向に設けられた溝と係合する断熱性の縦仕切り板と、内箱と外箱の間に断熱材を充填して発泡させた後に、横架設部材と中間仕切り壁との間であって縦仕切り板の前方に配し、突出防露パイプの後方に取付けた縦仕切りカバー部材とを備え、中間仕切り壁と横架設部材との間の一方の空間に、貯蔵室の背面、中間仕切り壁、貯蔵室の一側面、縦仕切り板、底板とより囲まれた断熱性の第１区画室を形成し、他方の空間には、貯蔵室の背面、中間仕切り壁、貯蔵室の他側面、縦仕切り板とより囲まれた第２区画室を形成したことを特徴とするものである。
【０００７】
請求項２の冷蔵庫のキャビネットは、請求項１のものにおいて、縦仕切り板は、第２区画室側から取付けたものである。
【０００８】
請求項３の冷蔵庫のキャビネットは、請求項２のものにおいて、第２区画室の扉スイッチを収納するスイッチ収納部を縦仕切り板の前端上部から突出させ、この突出したスイッチ収納部の中央側前部に凹部を設け、縦仕切りカバー部材の前面カバーの端部を凹部に係合させたものである。
【０００９】
請求項４の冷蔵庫のキャビネットの製造方法は、内箱と外箱とよりなり、内箱と外箱との間に断熱材を充填して、貯蔵室空間を形成し、また、貯蔵室の内部を上下に仕切る中間仕切り壁を内箱内に設け、内箱と外箱との間に断熱材を充填する冷蔵庫のキャビネットの製造方法において、中間仕切り壁によって仕切られた下方の貯蔵室空間をさらに上下に仕切り、かつ防露パイプが内蔵された横架設部材を貯蔵室の前面開口に架設する第１工程と、前記横架設部材より突出防露パイプを突出させる第２工程と、内箱と外箱とを治具で固定し、内箱と外箱の間に断熱材を充填して発泡させる第３工程と、内箱と外箱の間に断熱材を充填して発泡させた後に、キャビネット背面前方にエバカバーを取付ける第４工程と、エバカバーを取付けた後に、前記エバカバーに横方向に設けられた溝と嵌合して横架設部材の略半分の部分とエバカバーとの間に断熱性を配する第５工程と、内箱と外箱の間に断熱材を充填して発泡させた後に、横架設部材と中間仕切り壁との間であって縦仕切り板の前方に配し、突出防露パイプの後方に縦仕切りカバー部材を取付ける第６工程と、エバカバーを取付けた後に、前記エバカバーに縦方向に設けられた溝と係合して、底板の貯蔵室中央側の側部と中間仕切り壁との間に断熱性の縦仕切り板を配する第７工程とよりなり、これら工程により、中間仕切り壁と横架設部材との間の一方の空間には、貯蔵室の背面、中間仕切り壁、貯蔵室の一側面、縦仕切り板、底板とより囲まれた断熱性の第１区画室を形成し、他方の空間には、貯蔵室の背面、中間仕切り壁、貯蔵室の他側面、縦仕切り板とより囲まれた第２区画室を形成したものである。
【００１０】
請求項５の冷蔵庫のキャビネットの製造方法は、請求項４のものにおいて、第５工程において、底板の側部を貯蔵空間の一側面に接触させることにより、底板の位置決めを行い、第７工程において、縦仕切り板を第２区画室側から配することにより、縦仕切り板を固定するものである。
【００１１】
請求項６の冷蔵庫のキャビネットの製造方法は、請求項４のものにおいて、横架設部材内部に防露パイプを配し、防露パイプを横架設部材より上方に突出させ、突出した防露パイプと中間仕切り壁との間に隙間を形成し、また、第３工程において用いられる治具であって、中間仕切り壁と横架設部材との間の空間に挿入する治具は、第１区画室に挿入される第１治具部と、第２区画室に挿入される第２治具部と、第１治具部と第２治具部とを連結し、かつ、前記隙間の位置に挿入される連結治具部とよりなるものである。
【００１２】
請求項１の冷蔵庫のキャビネットであると、横架設部材に防露パイプを埋設しておけば、ヒータを特別に設ける必要がなく、また、断熱性の第１区画室は、底板、縦仕切り板を組み立てるだけで形成することができる。
【００１３】
請求項２の冷蔵庫のキャビネットであると、縦仕切りカバー部材内部にも防露パイプを配することができる。
【００１４】
請求項３の冷蔵庫のキャビネットであると、第２区画室の扉スイッチは、縦仕切りカバー部材の前面のカバーの端部をスイッチ収納部の凹部に係合させることにより所定の位置に位置決めすることができる。
【００１５】
請求項４の冷蔵庫のキャビネットの製造方法であると、断熱性の第１区画室の前面に設けられる露付き防止の熱源を防露パイプによって形成することができる。
【００１６】
請求項５の冷蔵庫のキャビネットの製造方法であると、底板の位置決めを確実に行うことができ、また、縦仕切り板を第２区画室側から配することにより、縦仕切り板も正確な位置に位置決めすることができる。
【００１７】
請求項６の冷蔵庫のキャビネットの製造方法であると、横架設部材から防露パイプが突出していても、第１区画室及び第２区画室内部を第１治具部と第２治具部とより押さえることができ、内箱天井面のシール面の変形を防止することができる。
【００１８】
【発明の実施の形態】
以下、本発明の実施例を図１〜図１３に基づいて説明する。
【００１９】
本実施例の冷蔵庫１０は、図１３に示すように、キャビネット１２内部（貯蔵室空間）を上方から冷蔵室１４、野菜室１６、製氷室１８、冷凍室２０に区画され、製氷室１８の右側には切替室２２が設けられている。
【００２０】
キャビネット１２は、金属板より形成された外箱２４と内箱２６とより形成され、外箱２４と内箱２６との間には発泡ウレタンを充填するための充填空間が形成されている。また、内箱２６の中央部にはキャビネット１２内部（貯蔵室空間）を冷蔵空間と冷凍空間に区画するための中間仕切り壁２８が一体に形成されている。
【００２１】
１．製氷室１８と切替室２２の構造
本実施例は、この冷蔵庫１０の構造のうち、製氷室１８と切替室２２の構造に関するものであり、図１に基づいてその構造を最初に簡単に説明しておく。
【００２２】
図１に示すように、中間仕切り壁２８によって区切られた下方の冷凍空間には、製氷室１８、切替室２２及び冷凍室２０を形成するものであり、製氷室１８、切替室２２と冷凍室２０とを仕切目的とパイプの保護を兼ねるために、横架設部材３０がウレタン発砲前に設けられている。この横架設部材３０の内部には、冷凍サイクルの一部分である防露パイプ３２が設けられている。これによって露付きが防止される。
【００２３】
切替室２２は断熱構造を有する必要があるため、横架設部材３０とキャビネット１２の背面との間に断熱性の底板３４を取付け、次に、横架設部材３０から突出した防露パイプ３２の後方に縦仕切りカバー部材３６を取付ける。そして、この縦仕切りカバー部材３６の前面に金属製の前カバー３８を取付け、最後に製氷室１８と切替室２２を仕切るための断熱性の縦仕切り板４０を取付けるものである。
【００２４】
２．製造工程
以下、これらの構造を製造工程に基づいて詳しく説明していく。
【００２５】
（第１工程）
中間仕切り壁２８を有した内箱２６と、外箱２４とを組み合わせる。この場合に、防露パイプ３２も内蔵しておく。
【００２６】
（第２工程）
中間仕切り壁２８の下方に位置する冷凍空間の部分に横架設部材３０を取付ける。また、中間仕切り壁２８の下面前部から、フランジ部５４が突出している。このフランジ部５４は、縦仕切りカバー部材３６をネジ止めするためのものである。
【００２７】
この場合に、防露パイプ３２を横架設部材３０に沿って配すると共に、横架設部材３０の中央部より防露パイプ３２の一部である防露パイプ（以下、突出防露パイプという）４２を突出させておく。突出防露パイプ４２の先端は逆Ｕ字状に折曲され、中間仕切り壁２８から下方に突出したフランジ部５４との間には約１ｃｍの隙間が存在している。また、横架設部材３０の中央部、すなわち、突出防露パイプ４２の後方には縦仕切りカバー部材３６の下部が係合する取付突部４４が突出している。この取付突部４４は、縦仕切りカバー部材３６が右側から取付け可能なように、階段状となっている。
【００２８】
（第３工程）
第２工程を終了した後、内箱２６、外箱２４をウレタン治具の内部に収納する。ここで横架設部材３０と中間仕切り壁２８との間に形成された空間に治具を挿入する場合を図１２に示している。
【００２９】
この空間に挿入される治具４６は、切替室２２に挿入される第１治具部４８と製氷室１８に挿入される第２治具部５０とよりなり、第１治具部４８と第２治具部５０とは連結治具部５２によって連結されている。そして、この連結治具部５２は、図１２に示すように、突出防露パイプ４２と中間仕切り壁２８より下方に突出したフランジ部５４との隙間に挿入されるものである。
【００３０】
上記のように治具４６を構成することにより、突出防露パイプ４２が突出していても、製氷室１８と切替室２２の天井面を固定することができるため、ウレタン発泡を行った場合でも内箱天井部２６ａが変形することがない。
【００３１】
そして、上記のように治具４６で内箱２６と外箱２４を押さえた後に、発泡ウレタンを注入して発泡させ、キャビネット１２を断熱構造とする。
【００３２】
（第４工程）
上記のように断熱構造としたキャビネット１２の背面前方に冷凍サイクルの部品である冷却器１１０や送風機１１２を配し、これらの前面にエバカバー５６を内箱２６にネジ止めする（図１、１１参照）。
【００３３】
（第５工程）
エバカバー５６を取り付けた後に、図２に示すように、横架設部材３０の右半部とキャビネット１２の背面に当たるエバカバー５６との間に、断熱性の底板３４を取付ける。この底板３４が切替室２２の底板となる。なお、底板３４の左側部近傍には、中間底板４０の底部と係合するための突条７２が突出している。
【００３４】
この底板３４の取付け方には、次の特徴がある。
【００３５】
第１の点は、次の通りである。
【００３６】
切替室２２の右側壁に当たるキャビネット１２の右側面６０の下部には、切替室２２に収納される容器６２を引き出すための引き出しレール６４が取付けられることとなる。そのため、底板３４の右端部は右側面６２にネジ止めすることが難しいため、図１２に示すように右側面６０の引き出しレール６４の下方に前後方向の溝６６を設け、この溝６６に底板３４の右側部を嵌合させる。これによって、底板３４の位置決めが可能となる。
【００３７】
第２の点は、図１０に示すように、底板３４の後部は、エバカバー５６に左右方向に設けられた溝６８に嵌合して支持されている。
【００３８】
第３の点は、底板３４の前部から一対のネジ止め部７０が突出し、このネジ止め部７０が横架設部材３０に架け渡されることとなる。そして、このネジ止め部７０に設けられているネジ孔は傾斜しており、前方からネジを固定しやすいようになっている。
【００３９】
（第６工程）
図３に示すように、突出防露パイプ４２の後方、すなわち、取付突部４４とフランジ部５４との間に縦仕切りカバー部材３６を取付ける。この場合に、前記したように取付突部４４は段部となっているため、縦仕切りカバー部材３６を右側からはめ込み、フランジ部５４と縦仕切りカバー部材３６をネジ止めすると共に、取付突部４４の上部と縦仕切りカバー部材３６とをネジ止めして縦仕切りカバー部材３６を固定する。
【００４０】
縦仕切りカバー部材３６は、図６に示すように合成樹脂製の外観を構成するほぼ四角柱のケース部材７４の内部に、発泡スチロールよりなる断熱部材７６を収納したものである。
【００４１】
また、この縦仕切りカバー部材３６の左側面上部には、凹部７８が設けられている。また、右側面には、フランジ板８０が突出し、このフランジ板８０には中間底板４０を固定するためのネジのネジ孔８２が２箇所開口している。
【００４２】
（第７工程）
図４に示すように、縦仕切りカバー部材３６の前面に金属板よりなる前カバー３８をネジ止めする。
【００４３】
（第８工程）
図５に示すように、底板３４の左側部上部と中間仕切り壁２８との間、言い換えると、縦仕切りカバー部材３６の後方とエバカバー５６との間に縦仕切り板４０をネジによって固定する。
【００４４】
中間底板４０の右側面には、切替室２２の容器６２を引き出すための引き出しレール８４が設けられている。また、縦仕切り板４０の前端部上部には、製氷室１８の扉の開閉状態を検知するためのリードスイッチ８６を収納するスイッチ収納部８８が突出している。
【００４５】
以下、そのスイッチ収納部８８の構造について図６及び図７について説明する。
【００４６】
スイッチ収納部８８はほぼ直方体の形状をなし前面が開口している。スイッチ収納部８８の固定位置は、縦仕切りカバー部材３６の左側である。
【００４７】
リードスイッチ８６を内蔵したスイッチケース９０は、スイッチ収納部８８の開口した前面から挿入される。この場合に、スイッチ収納部８８の内側の両側面には突部９２，９４が突出し、スイッチケース９０の両側部から突出した爪９６，９８と係合することにより固定される。
【００４８】
また、右側の突部９４からはさらに外方にリブ１００が延設されている。このリブ１００は、前記で説明した縦仕切りカバー部材３６の凹部７８に係合する。また、このリブ１００には切欠１０２が縦方向に設けられている。この切欠１０２には、前カバー３８の左端部が係合する。
【００４９】
このように前カバー３８の左端部をリブ１００の切欠１０２に係合させるのは、スイッチ収納部８８、すなわち、リードスイッチ８６の位置決めを行うためである。
【００５０】
さらに説明すると、リードスイッチ８６は製氷室１８の扉の開閉状態を検知するものであるが、その機能は非常に微妙であり、位置決めを正確に行う必要がある。しかしながら、この切欠１０２と前カバー３８との係合がなければ、縦仕切り板４０を縦仕切りカバー部材３６に取り付けた場合に、シール材等の反発力により縦仕切り板４０が左右方向にばらつく可能性がある。そのため、切欠１０２に前カバー３８の左端部を係合させることにより、正確にリードスイッチ８６の位置決めを行っているものである。
【００５１】
縦仕切り板４０の下部は底板３４から突出した突条７２に合わせて、製氷室１８の側から配するものである。そして、図９に示すように、縦仕切り板４０の後部はエバカバー５０に設けられた縦方向の溝１０４に係合させる。さらに、縦仕切りカバー部材３６の右側面にあるフランジ板８０ともネジ止めする。
【００５２】
以上のような工程によって、キャビネット１２内部に製氷室１８と断熱性を有する切替室２２とを形成することができる。
【００５３】
なお、上記の製造工程において、縦仕切りカバー部材３６と前カバー３８を取り付けた後に縦仕切り板４０を取り付けたが、これに代えて縦仕切り板４０を取り付けた後に、縦仕切りカバー部材３６と前カバー３８を取り付けても良い。
【００５４】
このような製造工程を行うことにより、防露パイプ３２と突出防露パイプ４２とによって製氷室１８と切替室２２の前面の露付きを防止することができ、従来のように特別のヒータを取付ける必要がないため、電気代を節減することができる。
【００５５】
３．取り外し作業の工程
本実施例の冷蔵庫１０においては、冷却器１１０等が故障して、エバカバー５６を取り外す必要がある場合にも、その作業が容易に行える効果もある。以下、そのエバカバー５６を取り外す手順について、図９〜図１１に基づいて説明する。
【００５６】
（第１の作業）
図９に示すように、縦仕切り板４０を取り付けているネジ▲１▼をはずし、縦仕切り板４０を製氷室１８側に回転させながら取り外す。この場合に、縦仕切りカバー部材３６を取り外す必要がないため、その内部にある突出防露パイプ４２を曲げたりする怖れがない。
【００５７】
（第２の作業）
底板３４を固定しているネジ▲２▼をはずし、図１０に示すように、底板３４の前部を上方に回転させ、底板３４を取り外す。
【００５８】
（第３の作業）
底板３４を取り外すと、図１１に示すようになるため、エバカバー５６を容易に取り外すことができる。
【００５９】
以上のような作業において、突出防露パイプ４２を曲げたりする必要がなく、突出防露パイプ４２の破損、突出防露パイプ４２と前カバー３８の密着性も確保でき、ネジをはずすだけで容易に縦仕切り板４０と底板３４を取り外すことができるため、作業能率が上昇する。
【００６０】
【発明の効果】
以上のように本発明の冷蔵庫のキャビネット及びその製造方法であると、第１区画室及び第２区画室の前面に設けられた露付き防止のための熱源を防露パイプによって実現することができ、特別なヒータを設ける必要がないため電気代を節減することができる。
【図面の簡単な説明】
【図１】本発明の冷蔵庫の要部拡大斜視図である。
【図２】第５工程を終了した状態の製氷室と切替室の斜視図である。
【図３】第６工程を終了した状態の製氷室と切替室の斜視図である。
【図４】第７工程を終了した状態の製氷室と切替室の斜視図である。
【図５】第８工程を終了した後の製氷室と切替室の斜視図である。
【図６】縦仕切り板、縦仕切りカバー部材、前カバーの分解斜視図である。
【図７】図５におけるＡ−Ａ線断面図である。
【図８】切替室の縦断面図である。
【図９】製氷室と切替室の横断面図である。
【図１０】縦仕切り板を取り除いた状態の切替室と冷凍室の縦断面図である。
【図１１】側板を取り除いた状態の切替室と冷凍室の縦断面図である。
【図１２】製氷室と切替室に治具を挿入した状態の正面図である。
【図１３】冷蔵庫の部屋の配置を示す説明図である。
【符号の説明】
１０  冷蔵室
１２  キャビネット
１８  製氷室
２２  切替室
２４  外箱
２６  内箱
２８  中間仕切り壁
３０  横架設部材
３２  防露パイプ
３４  底板
３６  縦仕切りカバー部材
３８  前カバー
４０  縦仕切り板
４２  突出防露パイプ
【図１】
0003955700.tif 000002
【図２】
0003955700.tif 000003
【図３】
0003955700.tif 000004
【図４】
0003955700.tif 000005
【図５】
0003955700.tif 000006
【図６】
0003955700.tif 000007
【図７】
0003955700.tif 000008
【図８】
0003955700.tif 000009
【図９】
0003955700.tif 000010
【図１０】
0003955700.tif 000011
【図１１】
0003955700.tif 000012
【図１２】
0003955700.tif 000013
【図１３】
0003955700.tif 000014